(57)【要約】    【課題】暖房機能を備えるに際し、損傷、感電、漏電等の惧れがなく、製作コストを低減できると共に、必要に応じて床部に簡単に着脱できるようにする。    【解決手段】少なくとも床部７と、床部７を取り囲む囲い部２〜６とを含む本体１を備え、床部７に暖房用のヒーター８を備えた動物用飼育装置において、床部７の裏面にシート状のヒーター８を着脱自在に装着する。ヒーター８は床部７の外周近傍の一部に配置し、床部７の裏面に粘着材２０により着脱自在に貼着する。床部７はヒーター８が動物の排尿によって濡れない防水構造である。本体１の前面又は前面近傍に、ヒーター８の電源をオンオフする電源スイッチ２４を配置する。【選択図】      図１
0003134097.tif 000002
【実用新案登録請求の範囲】
【請求項１】
少なくとも床部（７）と、該床部（７）を取り囲む囲い部（２〜６）とを含む本体（１）を備え、前記床部（７）に暖房用のヒーター（８）を備えた動物用飼育装置において、前記床部（７）の裏面にシート状の前記ヒーター（８）を着脱自在に装着したことを特徴とする動物用飼育装置。
【請求項２】
前記ヒーター（８）を前記床部（７）の裏面に粘着材（２０）により着脱自在に貼着したことを特徴とする請求項１に記載の動物用飼育装置。
【請求項３】
前記床部（７）は前記ヒーター（８）が動物の排尿によって濡れない防水構造であることを特徴とする請求項１又は２に記載の動物用飼育装置。
【請求項４】
前記ヒーター（８）を前記床部（７）の外周近傍の一部に配置したことを特徴とする請求項１〜３の何れかに記載の動物用飼育装置。
【請求項５】
前記囲い部（２〜６）は上下に配置された上枠（９）及び下枠（１０）を含む骨格体（２）と、前記上枠（９）及び下枠（１０）間で前記骨格体（２）に装着された囲い部（２〜６）とを備え、前記床部（７）は前記下枠（１０）上に配置された板材（１４）を有し、該板材（１４）の外周を前記下枠（１０）に対して周方向の全周でシール材（１５）によりシールし、前記板材（１４）の裏面に前記ヒーター（８）を貼着したことを特徴とする請求項１〜４の何れかに記載の動物用飼育装置。
【請求項６】
前記床部（７）は通水性を有する床材（３２）と、該床材（３２）の下側で動物の尿等を受けるトレー（３３）と、該トレー（３３）内に配置され且つ裏面に前記ヒーター（８）が貼着された前記板材（１４）とを備え、少なくとも前記板材（１４）及び前記トレー（３３）が前記本体（１）に対して着脱自在であることを特徴とする請求項１〜４の何れかに記載の動物用飼育装置。
【請求項７】
前記本体（１）の前面又は前面近傍に配置され且つ前記ヒーター（８）の電源をオンオフする電源スイッチ（２４）と、前記床部（７）の温度を検出して前記ヒーター（８）の電源をオンオフするための温度センサー（２７）とを備えたことを特徴とする請求項１〜６の何れかに記載の動物用飼育装置。
【考案の詳細な説明】
【技術分野】
【０００１】
本考案発明は、ペット等の動物を飼育するための動物用飼育装置に関するものである。
【背景技術】
【０００２】
ペット等の動物を飼育するための動物用飼育装置には、家庭等でペットを飼育するためのペット小屋の他、ペットショップでペットを陳列し飼育するためのショウケース、動物病院、ペットホテルでペット等を一時的に保管し飼育するための保管ケース等、多種類のものがある。
【０００３】
長期的か否かを問わず、この種の動物用飼育装置で動物を飼育する場合には、寒冷期の暖房対策が必要となる。その暖房装置としては、従来、動物用飼育装置から独立した独立型（特許文献１）と、動物用飼育装置の床部の内部にヒーターを内蔵した内蔵型（特許文献２）とがある。
【０００４】
独立型の暖房装置は、発熱板の表裏両側に均熱板を介して表裏部材を装着し、その全体を板状に構成したものであって、動物用飼育装置の床部上に置いて使用するようになっている。また内蔵型の暖房装置は、動物用飼育装置の床部内にヒーターを内蔵している。
【特許文献１】登録実用新案第３０３６７４１号公報
【特許文献２】実開平４−２１２５０号公報
【考案の開示】
【考案が解決しようとする課題】
【０００５】
従来の独立型の暖房装置は、動物用飼育装置の床部上に置いて使用するため、必要に応じて簡単に出し入れができる利点はあるが、動物が暖房装置の本体部、電源コード等を咬むため、比較的短期間で損傷するばかりか、本体部、電源コード等の損傷箇所で動物が感電したり、排尿等によって漏電したりする等の問題がある。
【０００６】
一方、内蔵型の暖房装置は、独立型の問題は解消できるものの、床部内にヒーターを内蔵しているため製造コストが高騰する欠点があり、また既存の動物用飼育装置の床部に追加して使用することはできない欠点がある。
【０００７】
本考案は、かかる従来の問題点に鑑み、損傷、感電、漏電等の惧れがなく、製作コストを低減できると共に、必要に応じて床部に簡単に着脱できる暖房機能を備えた動物用飼育装置を提供することを目的とする。
【課題を解決するための手段】
【０００８】
本考案は、少なくとも床部７と、該床部７を取り囲む囲い部２〜６とを含む本体１を備え、前記床部７に暖房用のヒーター８を備えた動物用飼育装置において、前記床部７の裏面にシート状の前記ヒーター８を着脱自在に装着したものである。
【０００９】
前記ヒーター８を前記床部７の裏面に粘着材２０により着脱自在に貼着してもよい。前記床部７は前記ヒーター８が動物の排尿によって濡れない防水構造であることが望ましい。前記ヒーター８は前記床部７の外周近傍の一部に配置すればよい。
【００１０】
前記囲い部２〜６は上下に配置された上枠９及び下枠１０を含む骨格体２と、前記上枠９及び下枠１０間で前記骨格体２に装着された囲い部２〜６とを備え、前記床部７は前記下枠１０上に配置された板材１４を有し、該板材１４の外周を前記下枠１０に対して周方向の全周でシール材１５によりシールし、前記板材１４の裏面に前記ヒーター８を貼着してもよい。
【００１１】
前記床部７は通水性を有する床材３２と、該床材３２の下側で動物の尿等を受けるトレー３３と、該トレー３３内に配置され且つ裏面に前記ヒーター８が貼着された前記板材１４とを備え、少なくとも前記板材１４及び前記トレー３３が前記本体１に対して着脱自在であってもよい。
【００１２】
前記本体１の前面又は前面近傍に配置され且つ前記ヒーター８の電源をオンオフする電源スイッチ２４と、前記床部７の温度を検出して前記ヒーター８の電源をオンオフするための温度センサー２７とを備えてもよい。
【考案の効果】
【００１３】
本考案では、床部７の裏面にシート状のヒーター８を着脱自在に装着しているので、損傷、感電、漏電等の惧れがなく、製作コストを低減できると共に、必要に応じて床部に簡単に着脱できる。
【考案を実施するための最良の形態】
【００１４】
以下、本考案の実施例を図面に基づいて詳細に説明する。図１〜図５は動物用飼育装置の一種であるペットショップ用のショーケースに採用した本考案の第１の実施例を例示する。図１は天井部を外した状態の斜視図、図２はその底面図である。
【００１５】
図１、図２において、１はケース本体であり、骨格体２と、骨格体２に装着された前壁部３、後壁部４及び左右の側壁部５，６と、骨格体２の下部に装着された床部７と、骨格体２の上部に装着された天井部（図示省略）とを有し、床部７の裏面側に暖房用のシート状のヒーター８が着脱自在に装着されている。
【００１６】
骨格体２は上下両端に配置された平面視矩形状の上枠９及び下枠１０と、これらを四隅で上下に接続する４本の支柱１１とにより構成されている。上枠９、下枠１０、支柱１１は、例えば図３に下枠１０側を例示するように、隣り合う二面にリブ１２を備えた角筒材等からなり、その各リブ１２に当接するように側壁部５，６、床部７、天井部が装着されている。
【００１７】
なお、骨格体２と各壁部３〜６とにより、床部７を取り囲む囲い部２〜６が構成されている。また前壁部３と側壁部５，６との三面は合成樹脂製の透明板により構成されており、後壁部４は観音開き式の左右一対の開閉扉４ａ等により開閉自在に構成されている。前壁部３を開閉自在に構成してもよい。各壁部３〜６の上部側には通気孔１３が設けられている。
【００１８】
床部７は排尿等が浸透しないように防水性を有する合成樹脂板、ステンレス板等の板材１４により構成されている。そして、床部７は図３に示すように外周側が下枠１０のリブ１２上に載置されて、床部７と下枠１０との間が周方向の全周で適宜シール材１５によりシールされている。従って、床部７はその裏面側に排尿等が浸透しない防水構造であり、シール材１５を除去することにより、必要に応じて下枠１０から着脱可能である。
【００１９】
ヒーター８は長方形の防水性を有するシート状であって、例えば図４及び図５に示すように絶縁性、耐熱性及び可撓性を有する表シート材１６と裏シート材１７との間に電極１８と発熱体１９とが皮膜状に形成されており、裏シート材１７の裏面側に粘着材２０が設けられている。そして、このヒーター８は、床部７の中央よりも囲い部２〜６側に離れた位置、例えば左・右側壁部５，６の一方側に近接して前後方向に貼着されている。発熱体１９はシート材の一方にコーティング等により形成してもよいし、両シート材１６，１７間に別体に介在してもよい。
【００２０】
なお、ヒーター８は防水性を有することが望ましいが、防水性のないものでもよい。またシート状のヒーター８自体は公知のものを使用すればよい。
【００２１】
ヒーター８には、その長手方向の一端側等の適当箇所に箱状その他の制御部２１が設けられている。制御部２１は温度調整摘まみ２２を有し、この温度調整摘まみ２２を操作することにより、ヒーター８の発熱温度を任意に調整可能である。
【００２２】
また制御部２１にはコード２３を介してヒーター８用の電源スイッチ２４が接続されると共に、電源プラグ２５を有する電源コード２６が接続されている。電源スイッチ２４は必要に応じて前側からオンオフ操作をできるように、ケース本体１の前面、例えば下枠１０の前面の左右一端側に装着されている。また電源コード２６は床部７の裏面に沿って下枠１０の後部側に導かれており、その下枠１０の後部を貫通して外部へと引き出されている。
【００２３】
このような構成のショウケースでは、次のような利点がある。即ち、冬期等の寒冷時には、ヒーター８に通電することによって、その発熱により床部７の裏面側から暖房できる。またヒーター８は床部７の裏面に粘着材２０を介して貼着しているため、ペットがヒーター８、電源コード２６等を咬む惧れもなく、ヒーター８、電源コード２６等の損傷、ペットの感電等の問題を解消できる。
【００２４】
更にヒーター８が防水性を有する上に、床部７の外周がシール材１５でシールされているため、ヒーター８が床部７の裏面側にあることと相俟って、ペットの排尿等による漏電等を防止できる。しかもヒーター８はシート状であって、床部７の裏面に粘着材２０を介して貼着しているため、製作コストを低減できると共に、必要に応じて床部７に対して簡単に着脱できる利点がある。
【００２５】
ショーケースの場合、床部７が損傷すればシール材１５を除去して床部７を交換することがある。このような場合にも、ヒーター８を粘着材２０を介して床部７に貼着しているため、ヒーター８を床部７から容易に剥離することができる。従って、必要に応じてヒーター８を床部７に対して容易に着脱でき、床部７の交換等も容易である。
【００２６】
また小犬等は囲い部２〜６の近傍で床部７上に座ったりする等の習性があるため、ヒーター８を一方の側壁部６の近傍に配置することによって、ヒーター８の大きさを小さく抑えつつ効率的に暖房できる。しかも、ヒーター８を全ての壁部３〜６に沿って配置せず、一部の壁部６の近傍に配置しているため、暑い場合にはペットが暖房箇所を避けて他の壁部の近傍側へと移動することもできる。
【００２７】
図６は本考案の第２の実施例を例示する。この実施例では、シート状のヒーター８の途中に１個又は複数個の温度センサー２７が配置されている。例えば、温度センサー２７は、発熱体１９を避けて表シート材１６と裏シート材１７との間に介在されている。
【００２８】
制御部２１は温度調整摘まみ２２により設定された温度以上に暖房温度が高くなった場合に、その温度を温度センサー２７で検出してヒーター８の電源を切るようになっている。このようにすれば、外気温の上昇等に伴う過度の暖房を防止できる。なお、温度センサー２７としてサーモスタットを使用してもよい。また温度センサー２７は発熱体１９に重ねて設けてもよい。
【００２９】
図７は本考案の第３の実施例を例示する。（ａ）ではヒーター８が左右の側壁部５，６に沿って配置されている。（ｂ）ではヒーター８が後壁部４に沿って配置されている。（ｃ）ではヒーター８が後部側の一方の隅に配置されている。
【００３０】
このようにヒーター８は、床部７の側部、後部、後隅部等の外周部分の一部に配置することが望ましい。勿論、図２に仮想線で示すように、ヒーター８を前壁部３、後壁部４に沿って前後両側に左右方向に設けてもよく、その位置は動物の習性を考慮して決定すればよい。
【００３１】
図８、図９は本考案の第４の実施例を例示する。このショウケースは、後壁部４と左右の側壁部５，６とを有する縦長状のケース本体１と、このケース本体１に前側から着脱自在に挿入された上下方向に複数の床部７と、各床部７の上側でケース本体１の前側に開閉自在に装着された複数の前扉２８とを有する。前扉２８は左右方向の一端側でヒンジ３０によりケース本体１に開閉自在に枢着され、他端側の上下で留め具２９により施錠されている。
【００３２】
ケース本体１の左右の側壁部５，６には、その内側に左右に相対向して前後方向のレール３１が固定され、このレール３１により各床部７が支持されている。各床部７は、左右のレール３１上に着脱自在に載置された簀の子等の通水性を有する床材３２と、この床材３２の下側で尿等を受けるトレー３３と、床材３２の下側に近接してトレー３３内に嵌め込まれた板材１４とを備え、トレー３３が左右のレール３１に挿脱自在に挿入されている。
【００３３】
板材１４はその裏側にヒーター８を装着するためのもので、平坦部１４ａと、この平坦部１４ａの外周から下側に延びる脚部１４ｂとを有し、平坦部１４ａの裏面側にシート状のヒーター８が剥離可能に貼着されている。なお、板材１４は熱伝達性を考慮してステンレス等の板金材により構成されている。
【００３４】
このように多段式のショウケースの場合には、その床部７のトレー３３に板材１４を設けて、その板材１４の裏面にシート状のヒーター８を設けてもよい。
【００３５】
以上、本考案の各実施例について詳述したが、本考案は各実施例に限られるものではなく種々の変更が可能である。例えば、各実施例では、飼育装置として、ペットショップ等で使用されるショーケースを例示しているが、床部７を囲い部２〜６で取り囲む構成の本体を備えたものであれば、ペット小屋、その他のものでも同様に実施可能である。
【００３６】
囲い部２〜６はその全周又は一部が格子状でもよい。電源コード２６等は裏側にテープ等で適宜止めればよい。電源スイッチ２４を設ける場合、骨格体２の上部側に配置してもよい。ヒーター８は床部７の裏面に粘着材２０により剥離可能に粘着する他、接着剤により剥離不能に接着してもよい。またヒーター８は床部７の隅で曲がるようにＬ字状に設けてもよい。
【図面の簡単な説明】
【００３７】
【図１】本考案の第１の実施例を示すショーケースの斜視図である。
【図２】同底面図である。
【図３】同要部の拡大断面図である。
【図４】同ヒーターの平面図である。
【図５】同ヒーターの斜視図である。
【図６】本考案の第２の実施例を示すヒーターの斜視図である。
【図７】本考案の第３の実施例を示す説明図である。
【図８】本考案の第４の実施例を示すショウケースの正面図である。
【図９】同要部の拡大断面図である。
【符号の説明】
【００３８】
１  ケース本体
２〜６  囲い部
７  床部
８  ヒーター
９  上枠
１０  下枠
１４  板材
１５  シール材
２０  粘着材
２４  電源スイッチ
２７  温度センサー
３２  床材
３３  トレー
【図１】
0003134097.tif 000003
【図２】
0003134097.tif 000004
【図３】
0003134097.tif 000005
【図４】
0003134097.tif 000006
【図５】
0003134097.tif 000007
【図６】
0003134097.tif 000008
【図７】
0003134097.tif 000009
【図８】
0003134097.tif 000010
【図９】
0003134097.tif 000011